(57)【要約】【課題】物品を識別するために該物品に付けられたＩＤ番号の記録体が、経年変化せず、物品から外れることがなく、また表面が汚れたり、他のものに隠れたりしても、該番号を読取ることができるように、物品を識別するためのＩＤ番号を記録したＩＤチップを用いた資産管理システムを提供すること。【解決手段】ＩＤチップ２を内蔵した通信機器（ＰＤＡ／ＰＣ）１と、パソコン４とデータベース５と管理サーバー３とを備えた資産管理センターと、通信機器１と管理サーバー３とを情報を授受可能に接続する通信回線ＮＷ６とから成り、前記通信機器１はＩＤ番号読込み機能と読込んだＩＤ番号を送出する機能を有し、前記管理サーバー３は前記通信機器１にＩＤ番号の送出依頼を発信する機能と前記通信機器１から送出されたＩＤ番号を受信し、ＤＢ５に格納する機能を有する。【選択図】        図１
2005010982.tif 000002
【特許請求の範囲】
【請求項１】
ＩＤチップを内蔵した通信機器と、パソコンとデータベースと管理サーバーとを備えた資産管理センターと、前記通信機器と前記管理サーバーとを情報を授受可能に接続する通信回線とから成り、
前記通信機器は内蔵されている前記ＩＤチップのＩＤ番号を読込む機能と読込んだＩＤ番号を前記管理センターへ送出する機能を有し、
前記管理サーバーは前記通信機器にＩＤ番号の送出依頼を発信する機能と前記通信機器から送出されたＩＤ番号を受信し、データベースに格納する機能を有する、
ことを特徴とするＩＤチップを使った資産管理システム。
【請求項２】
請求項１に記載のＩＤチップを使った資産管理システムにおいて、
前記通信機器は、電源投入時に自身のＩＤ番号を読込み、記憶部へ格納する機能、格納したＩＤ番号を管理サーバーへ送出する機能を有する、
ことを特徴とするＩＤチップを使った資産管理システム。
【請求項３】
請求項１に記載のＩＤチップを使った資産管理システムにおいて、
前記通信機器は、自身のコマンドによりＩＤ番号を読込み、管理サーバーへ送出する機能を有する、
ことを特徴とするＩＤチップを使った資産管理システム。
【請求項４】
請求項１に記載のＩＤチップを使った資産管理システムにおいて、
前記通信機器は、管理サーバーにより起動されて、ＩＤ番号を読込み、管理サーバーへ送出する機能を有する、
ことを特徴とするＩＤチップを使った資産管理システム。
【請求項５】
請求項１乃至請求項４のいずれか１項に記載のＩＤチップを使った資産管理システムにおいて、
管理サーバーは、定期的に前記通信機器のＩＤ番号の送出依頼を各通信機器に発信し、各通信機器から発信されたＩＤ番号を受信し、データベースへ格納する機能を有する、
ことを特徴とするＩＤチップを使った資産管理システム。
【請求項６】
請求項５に記載のＩＤチップを使った資産管理システムにおいて、
管理サーバーは、データベースに登録されたＩＤ番号をリスト出力し、管理する機能を有する、
ことを特徴とするＩＤチップを使った資産管理システム。
【請求項７】
請求項１乃至請求項４のいずれか１項に記載のＩＤチップを使った資産管理システムにおいて、
管理サーバー３は、定期的に、全ＩＰアドレス指定、ＩＰアドレスの範囲指定、ＩＰアドレス指定を行う機能を有する、
ことを特徴とするＩＤチップを使った資産管理システム。
【発明の詳細な説明】
【０００１】
【発明の属する技術分野】
本発明は、ＩＤチップを使った資産管理システムに関する。
【０００２】
【従来の技術】
従来物品を管理するのに、対象となる物品に該物品を識別するためのバーコードラベルを貼付し、このバーコードのＩＤ番号をバーコードリーダーで読み出して行うようにしたものがある（例えば、特許文献１参照。）。
【０００３】
【特許文献１】
特開２０００−２８９８１０号公報
【０００４】
【発明が解決しようとする課題】
しかしながらこのバーコードは、貼付した物品から剥がれたり、表面が汚れたりしてバーコード番号を読込めなくなったり、またバーコード番号と物品の一体化が経年変化で対応が取れなくなってきたりして、物品の管理に支障を来たすことがあった。
本発明は、このような点に鑑み、物品を識別するためのＩＤ番号の記録体が、経年変化せず、物品から外れることがなく、また表面が汚れたり、他のものに隠れたりしても、該番号を読取ることができるように、物品を識別するためのＩＤ番号を記録したＩＤチップを用い、これを物品の筐体に内蔵しておき、そのＩＤ番号を読込んで、該物品の資産管理をするシステムを提供することを目的とする。
【０００５】
【課題を解決するための手段】
上記目的を達成するために、本発明のＩＤチップを使った資産管理システムは、ＩＤチップ２を内蔵した通信機器（ＰＤＡ／ＰＣ）１と、パソコン（ＰＣ）４とデータベース（ＤＢ）５と管理サーバー３とを備えた資産管理センターと、通信機器１と管理サーバー３とを情報を授受可能に接続する通信回線ＮＷ６とから成り、前記通信機器１はＩＤ番号読込み機能と読込んだＩＤ番号を送出する機能を有し、前記管理サーバー３は前記通信機器１にＩＤ番号の送出依頼を発信する機能と前記通信機器１から送出されたＩＤ番号を受信し、ＤＢ５に格納する機能を有する。
【０００６】
また上記のシステムにおいて、前記通信機器１は、電源投入時にＡＰＰ自身のＩＤ番号を読込み、記憶部へ格納する機能、格納したＩＤ番号を管理サーバー３へ送出する機能を有する。
【０００７】
また上記のシステムにおいて、前記通信機器１は、自身のコマンドによりＩＤ番号を読込み、管理サーバー３へ送出する機能を有する。
さらに上記のシステムにおいて、前記通信機器１は、管理サーバー３により起動されて、ＩＤ番号を読込み、管理サーバー３へ送出する機能を有する。
【０００８】
また上記のシステムにおいて、管理サーバー３は、定期的に前記通信機器１のＩＤ番号の送出依頼を各通信機器に発信し、各通信機器から発信されたＩＤ番号を受信し、ＤＢ５へ格納する機能を有する。
【０００９】
また上記のシステムにおいて、管理サーバー３は、ＤＢ５に登録されたＩＤ番号をリスト出力し、管理する機能を有する。
さらに上記のシステムにおいて、管理サーバー３は、定期的に、全ＩＰアドレス指定、ＩＰアドレスの範囲指定、ＩＰアドレス指定を行う機能を有する。
【００１０】
【発明の実施の形態】
本発明の実施の形態を実施例にもとづき図面を参照して説明する。
図１は本発明のＩＤチップを使った資産管理システムの概念図である。
１はＰＤＡ又はＰＣ等の通信機器であって、ＩＤチップ２が内蔵されている。
このＩＤチップ２は筐体又は基板に取付けられるが、ＲＯＭに書き込むか、又はＵＳＢキーに書き込んでもよい。
【００１１】
このＩＤチップ２にはＰＤＡ／ＰＣを識別するためのＩＤ番号が記録されている。またこれに対応して、ＰＤＡ／ＰＣはＩＤ番号を読込むためのＩＤ番号読込みリーダー、読込んだＩＤ番号を格納する記憶部を有する。
またＰＤＡ／ＰＣはＬＡＮ機能を有する。
【００１２】
資産管理センターは、管理サーバー３、ＰＣ（パソコン）４、ＤＢ（データベース）５を有する。
ＰＤＡ／ＰＣ１と管理サーバー３とは通信回線ＮＷ６を介して情報の授受を行う。
ＤＢ５にはＵＳＢキーのＩＤ、パスワード、ＩＤ番号（読込んだＰＤＡ／ＰＣのＩＤ番号）を格納するが、これにより固定資産のセキュリティが強化される。
【００１３】
ＰＤＡ／ＣＰ１は、電源投入時にＡＰＰが自身のＩＤ番号をＩＤ番号読込みリーダーで読込み、記憶部へ格納する機能、格納したＩＤ番号を管理サーバー３へ送出（送信）する機能、自身（ＰＤＡ／ＰＣ）のコマンドで、ＩＤ番号を読込み、管理サーバー３へ送出（送信）する機能を有する。
また管理サーバー３により起動されてＩＤ番号をＩＤ番号読込みリーダーで読込み、管理サーバー３へ送出（送信）する機能を有する。
【００１４】
管理サーバー３は、定期的にＰＤＡ／ＰＣのＩＤ番号の送出依頼を各ＰＤＡ／ＰＣに発信し、各ＰＤＡ／ＰＣから発信されたＩＤ番号を受信し、ＤＢ５へ格納する。
そして登録されたＩＤ番号をリスト出力し、管理する。
また定期的に、全ＩＰアドレス指定、ＩＰアドレスの範囲指定、ＩＰアドレス指定を行う。
【００１５】
図２、図３は、電源投入時のＰＤＡ／ＰＣの動作を示す。
通信機器（ＰＤＡ／ＰＣ）の電源を投入すると、該通信機器はＩＤ番号読込みリーダーにより粉末状ＩＤチップからＩＤ番号を読込んで、記憶部へ格納する（図２）。
また電源投入時に、格納したＩＤ番号を通信回線ＮＷ６を介して資産管理センターへ送出する（図３）。
【００１６】
図４、図５は、任意時のＰＤＡ／ＰＣの動作を示す。
資産管理センターのサーバーから通信機器ＰＤＡ／ＰＣに対してＩＤ番号の読出し要求があった時、該通信機器はＩＤ番号読込みリーダーにより粉末状ＩＤチップからＩＤ番号を読込んで、記憶部へ格納する（図４）。
そして資産管理センターのサーバーからの要求に従い、格納したＩＤ番号を送出する（図５）。
【００１７】
図６は資産管理センターの動作を示す。
資産管理センターのサーバーは、通信機器から、電源投入時又は送出依頼に応じて送出されてきたＩＤ番号を受信し、まずＤＢ５に格納する（Ｓ６１）。次いで格納されたＩＤ番号をリスト出力する（Ｓ６２）。そして出力したリストに基づいて、必要な管理をする。
【００１８】
このように、管理対象となる通信機器のＩＤ番号は、自身の電源投入時及び帯び資産管理センターのサーバーからの要求があった時に、読込まれて記憶部に格納されると共に資産管理センターに送出され、ＤＢに格納される。
そして管理センターにおいて必要に応じてリスト出力して、通信機器の資産管理を行う。
【００１９】
【発明の効果】
本発明のようにＩＤチップを内蔵しておくことにより、バーコードを用いる場合のように管理対象の機器から外れることがなく、又経年変化でＩＤ番号を読取れなくなることもない。
さらに、管理対象の機器に設けてあるＩＤ番号読込みリーダーにより、簡易にＩＤ番号を読込み、送出（送信）することができる。
【００２０】
このようにして読込んだ管理対象の機器のＩＤ番号を資産管理センターに送出することにより、資産管理センターは各管理対象の機器からのＩＤ番号を収集して、適宜に資産管理を行うことができる。
【図面の簡単な説明】
【図１】本発明のＩＤチップを使った資産管理システムの概念図である。
【図２】電源投入時のＰＤＡ／ＰＣの動作の１つを示す。
【図３】電源投入時のＰＤＡ／ＰＣの他の動作を示す。
【図４】任意時のＰＤＡ／ＰＣの動作の１つを示す。
【図５】任意時のＰＤＡ／ＰＣの他の動作を示す。
【図６】資産管理センターの動作を示す。
【符号の説明】
１  ＰＤＡ／ＰＣ
２  内蔵ＩＤチップ
３  管理サーバー
４  ＰＣ
５  ＤＢ
６  通信回線
【図１】
2005010982.tif 000003
【図２】
2005010982.tif 000004
【図３】
2005010982.tif 000005
【図４】
2005010982.tif 000006
【図５】
2005010982.tif 000007
【図６】
2005010982.tif 000008